(57)【特許請求の範囲】
【請求項１】
開口を形成する枠体に当該開口を閉塞可能に回動自在に支持される障子であって、
前記障子は、
面材と、
前記面材の上下及び左右に配置されて対をなす框材が矩形状に接合されている框体と、
を有し、
各々の前記框材は、各々前記開口より外周側に張り出し、見込み方向において前記枠体と対向する対向部を有し、
前記対向部には、前記枠体側と対面する加熱発泡材が、各々の前記框材の長手方向の全長に渡って設けられており、
前記框体は、一方の前記対をなす框材の小口が、他方の前記対をなす框材の長手方向における端部にて当該他方の前記対をなす框材に側方から当接されて接合され、前記他方の対をなす框材の小口を覆う小口キャップを有しており、
各々の前記対向部には、前記加熱発泡材を前記枠体側と対面させ、当該対向部の長手方向に沿ってスライド可能に前記加熱発泡材と係合する係合部が設けられており、
前記加熱発泡材は、前記小口キャップにより各々の前記框材の長手方向における一方端に保持されていることを特徴とする障子。
【請求項２】
請求項１に記載の障子であって、
前記小口キャップは、前記加熱発泡材を前記対向部との間に挟み前記係合部に嵌合される嵌合部を備えていることを特徴とする障子。
【請求項３】
開口を形成する枠体に当該開口を閉塞可能に回動自在に支持される障子であって、
前記障子は、
面材と、
前記面材の上下及び左右に配置されて対をなす框材が矩形状に接合されている框体と、
を有し、
各々の前記框材は、各々前記開口より外周側に張り出し、見込み方向において前記枠体と対向する対向部を有し、
前記対向部には、前記枠体側と対面する加熱発泡材が、各々の前記框材の長手方向の全長に渡って設けられており、
前記框体は、一方の前記対をなす框材の小口が、他方の前記対をなす框材の長手方向における端部にて当該他方の前記対をなす框材に側方から当接されて接合されており、
各々の前記対向部には、当該対向部の長手方向に沿うとともに前記枠体側と対面させて前記加熱発泡材が設けられており、
前記他方の対をなす框材の前記対向部に設けられている前記加熱発泡材の端部は、前記対向部の前記枠体側と反対側の面に回り込んで当該他方の対をなす框材の小口を覆っていることを特徴とする障子。
【請求項４】
請求項１乃至請求項３のいずれかに記載の障子と、
前記障子を回動自在に支持する前記枠体と、
を備えることを特徴とする建具。
【発明の詳細な説明】
【技術分野】
【０００１】
本発明は、防火性を備えた障子及び建具に関する。
【背景技術】
【０００２】
防火性を備えた障子及び建具としては、例えば、開口を形成する枠体に当該開口を閉塞可能に回動自在に支持される開き窓用の障子及びこの障子が備えられた建具が知られている。このような障子は、図８に示すようにガラス１０１などの面材の四周を囲む４本の框材が矩形状に接合された框体１０２を有しており、框体１０２における小口が露出する部位には、小口を覆う小口キャップ１０３が設けられている。また、框体１０２は、枠体の開口より外周側に張り出し、見込み方向において枠体と対向する対向部１０５の、小口キャップ１０３と干渉しない部位に加熱発泡材１０４が設けられているものがある。
【発明の概要】
【発明が解決しようとする課題】
【０００３】
上記のような障子１００は、対向部１０５に設けられている加熱発泡材１０４は小口キャップ１０３と干渉しない部位に設けられているので、框体１０２を構成する各框材の端部には、加熱発泡材１０４が設けられていない部位１０６が存在する。このため、火災等により障子１００が加熱されたときには、加熱発泡材１０４が発泡したとしても対向部１０５において加熱発泡材１０４が設けられていない部位１０６では枠体との間に隙間が生じ、火炎が貫通する虞があるという課題がある。
本発明は、かかる課題に鑑みてなされたものであり、その目的とするところは、より防火性が高い障子及び建具を提供することにある。
【課題を解決するための手段】
【０００４】
かかる目的を達成するために本発明の障子は、開口を形成する枠体に当該開口を閉塞可能に回動自在に支持される障子であって、前記障子は、面材と、前記面材の上下及び左右に配置されて対をなす框材が矩形状に接合されている框体と、を有し、各々の前記框材は、各々前記開口より外周側に張り出し、見込み方向において前記枠体と対向する対向部を有し、前記対向部には、前記枠体側と対面する加熱発泡材が、各々の前記框材の長手方向の全長に渡って設けられており、前記框体は、一方の前記対をなす框材の小口が、他方の前記対をなす框材の長手方向における端部にて当該他方の前記対をなす框材に側方から当接されて接合され、前記他方の対をなす框材の小口を覆う小口キャップを有しており、各々の前記対向部には、前記加熱発泡材を前記枠体側と対面させ、当該対向部の長手方向に沿ってスライド可能に前記加熱発泡材と係合する係合部が設けられており、前記加熱発泡材は、前記小口キャップにより各々の前記框材の長手方向における一方端に保持されていることを特徴とする。
【０００５】
このような障子によれば、框体を構成する各框材が備える対向部に加熱発泡材が、枠体側と対面して、各々の框材の長手方向の全長に渡って設けられているので、枠体の開口を囲むように、枠体と対向させて加熱発泡材を備えることが可能である。このため火災等により加熱発泡材が発泡した際には、発泡した加熱発泡材により開口を囲むように框体と枠体との間を埋めて隙間が生じることを防止することが可能である。よって、より防火性が高い障子を提供することが可能である。
【０００６】
また、加熱発泡材は各框材の対向部に設けられた係合部にスライド可能に係合されるので、加熱発泡材を框材の端部側からスライドさせて各框材の対向部に配置することが可能である。また、一方の対をなす框材が他方の対をなす框材に側方から当接されて接合されるので、接合された状態では一方の対をなす各框材の係合部にスライド可能に係合された加熱発泡材は、他方の対をなす框材によりスライドが規制されて一方の対をなす框材に保持される。
【０００７】
また、他方の対をなす框材の係合部にスライド可能に係合された加熱発泡材は、他方の対をなす各框材の小口を覆う小口キャップにより他方の対をなす框材の長手方向における一方端に保持されているので、小口キャップによりスライドが規制されて他方の対をなす框材に保持される。このため、各框材の係合部に各々加熱発泡材を係合して、それぞれ対をなす框材を接合し小口キャップを設けることにより、各框材の小口を露出させることなく加熱発泡材を、枠体の開口を囲むように容易に備えることが可能である。
【０００８】
かかる障子であって、前記小口キャップは、前記加熱発泡材を前記対向部との間に挟み前記係合部に嵌合される嵌合部を備えていることが望ましい。
このような障子によれば、小口キャップが取り付けられている状態では、嵌合部と対向部との間に加熱発泡材が挟まれているので、他方の対をなす各框材の端部に加熱発泡材を設けつつも小口キャップにて他方の対をなす框材の各小口を覆うことが可能である。
【０００９】
また、開口を形成する枠体に当該開口を閉塞可能に回動自在に支持される障子であって、前記障子は、面材と、前記面材の上下及び左右に配置されて対をなす框材が矩形状に接合されている框体と、を有し、各々の前記框材は、各々前記開口より外周側に張り出し、見込み方向において前記枠体と対向する対向部を有し、前記対向部には、前記枠体側と対面する加熱発泡材が、各々の前記框材の長手方向の全長に渡って設けられており、前記框体は、一方の前記対をなす框材の小口が、他方の前記対をなす框材の長手方向における端部にて当該他方の前記対をなす框材に側方から当接されて接合されており、各々の前記対向部には、当該対向部の長手方向に沿うとともに前記枠体側と対面させて前記加熱発泡材が設けられており、前記他方の対をなす框材の前記対向部に設けられている前記加熱発泡材の端部は、前記対向部の前記枠体側と反対側の面に回り込んで当該他方の対をなす框材の小口を覆っていることを特徴とする。
【００１０】
このような障子によれば、加熱発泡材は各框材の対向部に設けられた係合部にスライド可能に係合されるので、加熱発泡材を框材の端部側からスライドさせて各框材の対向部に配置することが可能である。また、一方の対をなす框材が他方の対をなす框材に側方から当接されて接合されるので、接合された状態では一方の対をなす各框材の係合部にスライド可能に係合された加熱発泡材は、他方の対をなす框材によりスライドが規制されて一方の対をなす框材に保持される。
【００１１】
また、他方の対をなす框材の対向部の長手方向に沿って設けられている加熱発泡材は、端部が対向部の枠体側と反対側の面に回り込んで他方の対をなす框材の小口を覆っているので、回り込んだ加熱発泡材により小口を覆いつつ他方の対をなす框材に保持される。このため、各框材の係合部に各々加熱発泡材を係合して、二対の対をなす框材を接合し加熱発泡材の端部を枠体側と反対側の面に回り混ませることにより、各框材の小口を露出させることなく加熱発泡材を、枠体の開口を囲むように容易に備えることが可能である。
【００１２】
また、上記障子と、前記障子を回動自在に支持する前記枠体と、を備えることを特徴とする建具である。
このような建具によれば、框体を構成する各框材が備える対向部に加熱発泡材が、枠体側と対面して、各々の框材の長手方向の全長に渡って設けられているので、枠体の開口を囲むように、枠体と対向するように加熱発泡材を有する障子を備えることが可能である。このため火災等により加熱発泡材が発泡した際には、発泡した加熱発泡材により開口を囲むように框体と枠体との間を埋めて隙間が生じることを防止することが可能である。よって、より防火性が高い建具を提供することが可能である。
【発明の効果】
【００１３】
本発明によれば、より防火性が高い障子及び建具を提供することが可能である。
【図面の簡単な説明】
【００１４】
【図１】本実施形態に係る建具の縦断面図である。
【図２】本実施形態に係る建具の横断面図である。
【図３】本実施形態に係る障子に設けられている熱膨張性黒鉛を示す図である。
【図４】小口キャップが取り付けられる様子を示す斜視図である。
【図５】小口キャップを示す斜視図である。
【図６】障子に設けられた熱膨張性黒鉛の変形例を示す斜視図である。
【図７】障子に設けられた熱膨張性黒鉛の変形例を示す断面図である。
【図８】従来の障子に設けられている熱膨張性黒鉛を示す図である。
【発明を実施するための形態】
【００１５】
以下、本発明の一実施形態に係る障子を備えた建具について図面を参照して説明する。
本実施形態の建具１は、例えば図１、図２に示すような横辷り出し窓用の建具１である。
【００１６】
以下の説明においては、建物に取り付けられている状態の建具１を室内側から見たときに、上下となる方向を上下方向、左右となる方向を左右方向、奥行き方向を見込み方向として示す。建具１の各部位であっても、また、建具１を構成する各部材については単体の状態であっても、建物に取り付けられた状態にて上下方向、左右方向、見込み方向となる方向にて方向を特定して説明する。
【００１７】
建具１は、図１、図２に示すように、建物等に取り付けられた状態にて上下に位置する横枠２ａと、左右に位置する縦枠２ｂとが矩形状に接合された枠体２と、枠体２に設けられ回動することにより枠体により形成される開口を閉塞可能な障子３と、備えている。この建具１は、障子３の上下方向における一方側が左右の縦枠２ａに回動自在に支持されているとともに、左右の縦枠２ａに沿って移動可能に設けられ、障子３が回動しつつ他方側が屋外側に突き出していく横辷り出し窓用の建具１である。
【００１８】
矩形状に接合された枠体２は、上下の横枠２ａと左右の縦枠２ｂの、各々室内側と室外側とに設けられ、矩形をなす枠体２の内側に延出する室内延出部２ｃ及び室外延出部２ｄを有している。横枠２ａ及び縦枠２ｂの各室内延出部２ｃは、枠体２の見込み方向における室内側に配置されて同一平面をなす室内平面部２ｅを形成しており、その中央に矩形状の開口２ｇを有している。横枠２ａ及び縦枠２ｂの各室外延出部２ｄは、枠体２の見込み方向における室外側に配置されて同一平面をなす室外平面部２ｆを形成しており、その中央に矩形状の開口２ｈを有している。
【００１９】
室外平面部２ｆの開口２ｈは室内平面部２ｅの開口２ｇより大きく形成されており、各々開口２ｇ、２ｈの周縁部に室外側に突出するように、閉じた状態の障子３が当接されるシーラー４が各々全周に渡って設けられている。ここで、室内平面部２ｅの開口２ｇが、枠体２に形成され障子３により閉塞可能な開口に相当する。
【００２０】
障子３は、面材としての複層ガラス５と、複層ガラス５の上下及び左右に配置されて対をなす框材を有する框体３０と、を有している。上下に位置して対をなす横の框材３１は小口３１ａが、左右に位置して対をなす縦の框材３２の上端部または下端部に側方から当接されて、縦の框材３２側から進入するビスが横の框材３１に螺合されて矩形状に接合されている。矩形状に接合された框体３０の内周部に設けられ、内周側が開放されて外周側に窪む溝部に複層ガラス５が、その周端部が収容されて保持されている。
【００２１】
框体３０は、障子３を閉じた状態で、枠体２の室外平面部２ｆの開口２ｈ側から、室外平面部２ｆより室内側まで入り込む框本体部３３と、室外平面部２ｆより室外側に位置して框本体部３３の室外側の面と繋がって外周側に張り出し、見込み方向において枠体２と対向する対向部３４と、を有している。
【００２２】
各框材３１、３２の対向部３４は、框本体部３３とともに室外側に臨む面を形成する室外板部３４ａと、室外板部３４ａの外周端または外周端の端近傍から室内側に僅かに延出された外周延出片３４ｂと、外周延出片３４ｂの先端から框本体部３３側に僅かに延出された外周突片３４ｃと、を有している。また、各框材３１、３２の框本体部３３において、複層ガラス５の面内方向において外周突片３４ｃと対向する部位には、各々外周突片３４ｃ側に突出された内周突片３３ａが設けられている。
【００２３】
外周突片３４ｃと内周突片３３ａとは、室外板部３４ａの室外側に間隔を空けて設けられており、また、外周突片３４ｃの先端と内周突片３３ａの先端とは、複層ガラス５の面内方向において間隔を空けて位置している。図３、図４に示すように、見込み方向における、外周突片３４ｃ及び内周突片３３ａと室外板部３４ａとの間の空間には、所定の温度で発泡して延焼を防止する加熱発泡材として、本実施例ではシート状の熱膨張性黒鉛６が配置されている。
【００２４】
熱膨張性黒鉛６は、框本体部３３と外周延出片３４ｂとの間隔より狭く、外周突片３４ｃの先端と内周突片３３ａの先端との間隔より広い幅を有している。また、熱膨張性黒鉛６は、外周突片３４ｃ及び内周突片３３ａと室外板部３４ａとの間隔より薄く、各框材３１、３２の長手方向における全長に渡るように設けられている。
【００２５】
熱膨張性黒鉛６は、各框材３１、３２に配置された状態で、各框材３１、３２の長手方向にスライド自在であり、框材３１、３２の端部側から外周突片３４ｃ及び内周突片３３ａと室外板部３４ａとの間に挿入してスライドさせて各框材３１、３２に配置することが可能である。また、対向部３４に配置された熱膨張性黒鉛６は、外周突片３４ｃ及び内周突片３３ａとの間から枠体２と対面している。ここで、外周突片３４ｃと内周突片３３ａとが、加熱発泡材を枠体側と対面させ、当該対向部の長手方向に沿ってスライド可能に加熱発泡材と係合する係合部に相当する。
【００２６】
上下の横の框材３１に設けられた熱膨張性黒鉛６は、横の框材３１の小口３１ａが、左右に位置する縦の框材３２に側方から当接されて接合されることにより、長手方向へのスライドが規制されるとともに横の框材３１に保持される。左右に位置する縦の框材３２に設けられた熱膨張性黒鉛６は、当該縦の框材３２の小口３２ａを覆う小口キャップ７が取り付けられることにより、長手方向へのスライドが規制されるとともに縦の框材３２の長手方向における一方端に保持される。
【００２７】
小口キャップ７は、図５に示すように、縦の框材３２の小口３２ａに当接される小口当接部７ａと、小口当接部７ａの室外側から縦の框材３２の長手方向に延出されて室外板部３４ａの室外側に配置される室外片７ｂと、小口当接部７ａの室内側から縦の框材３２の長手方向に延出されて外周突片３４ｃと内周突片３３ａとの間に配置される室内片７ｃと、を有している。小口当接部７ａと室外片７ｂとは、縦の框材３２の小口３２ａの左右方向の幅とほぼ同じ幅或いは小口３２ａの左右方向の幅とより広い幅をなしており、室内片７ｃは、外周突片３４ｃと内周突片３３ａとの間隔とほぼ同じ幅をなしている。
【００２８】
室内片７ｃは、延出された先端側における左右方向の中央に小口当接部７ａ側に窪む凹部７ｄが設けられて左右に２つに分かれており、左右に分かれている先端部には各々、凹部７ｄと反対側に向かって突出し、外周突片３４ｃと内周突片３３ａとに設けられた被嵌合部３４ｄ、３３ｂに嵌合される嵌合片７ｅが設けられている。
【００２９】
熱膨張性黒鉛６の端部が対向部３４の端部まで配置された縦の框材３２は、端部が小口キャップ７の室外片７ｂと室内片７ｃとの間に挿入され、室外板部３４ａに室外片７ｂの先端が引っかけられた状態から、小口３２ａに小口当接部７ａが当接されるように回転させつつ、室内片７ｃを外周突片３４ｃと内周突片３３ａとの間に移動させ、嵌合片７ｅが被嵌合部３４ｄ、３３ｂに嵌合されることにより小口キャップ７が取り付けられる。縦の框材３２に小口キャップ７が取り付けられることにより、熱膨張性黒鉛６の端部は、室外板部３４ａとともに室外片７ｂと室内片７ｃとに挟まれて保持される。ここで、室内片７ｃが嵌合部に相当する。
【００３０】
本実施形態の建具１及び障子３によれば、框体３０を構成する各框材３１、３２が備える対向部３４に熱膨張性黒鉛６が、枠体２側と対面して、各々の框材３１、３２の長手方向の全長に渡って設けられているので、枠体２の開口２ｇを囲むように、枠体２と対向させて熱膨張性黒鉛６を備えることが可能である。このため火災等により熱膨張性黒鉛６が発泡した際には、発泡した熱膨張性黒鉛６により開口２ｇを囲むように框体３０と枠体２との間を埋めて隙間が生じることを防止することが可能である。よって、より防火性が高い障子３及びこの障子３を備えた建具１を提供することが可能である。
【００３１】
また、熱膨張性黒鉛６は各框材３１、３２の対向部３４に設けられた外周突片３４ｃと内周突片３３ａとにスライド可能に係合されるので、熱膨張性黒鉛６をスライドさせて各框材３１、３２に配置することが可能である。また、対をなす横の框材３１が対をなす縦の框材３２に側方から当接されて接合されるので、接合された状態では横の框材３１の外周突片３４ｃと内周突片３３ａとにスライド可能に係合された熱膨張性黒鉛６は、縦の框材３２によりスライドが規制されて対をなす横框材３１に保持される。
【００３２】
また、対をなす縦の框材３２の外周突片３４ｃと内周突片３３ａとにスライド可能に係合された熱膨張性黒鉛６は、縦の框材３２の小口３２ａを覆う小口キャップ７により框材３２の長手方向における一方端に保持されるので、小口キャップ７によりスライドが規制されて対をなす縦の框材３２に保持される。このため、各框材３１、３２の外周突片３４ｃと内周突片３３ａとに各々熱膨張性黒鉛６を係合して、上下及び左右に配置される框材３１、３２を接合し小口キャップ７を設けることにより、各框材３１、３２の小口３１ａ、３２ａを露出させることなく熱膨張性黒鉛６を、枠体２の開口２ｇを囲むように容易に備えることが可能である。
【００３３】
また、小口キャップ７が取り付けられている状態では、室内片７ｃと室外板部３４ａとの間に熱膨張性黒鉛６が挟まれているので、対をなしている縦の各框材３２の端部まで熱膨張性黒鉛６を設けつつも小口キャップ７により縦の框材３２の各小口３２ａを覆うことが可能である。
【００３４】
上記実施形態においては、縦の框材３２に設ける熱膨張性黒鉛６の端部を小口キャップ７により覆う例について説明したが、これに限らず、例えば、図６、図７に示すように、対向部３４の室内側に配置した熱膨張性黒鉛６の端部を、小口３２ａに巻き付け室外側に至らせ室外側の面に貼り付けても構わない。このとき、小口３２ａに巻き付ける部位の幅を広くして小口３２ａの全幅を熱膨張性黒鉛６で覆っても構わない。
上記実施形態においては、加熱発泡材を熱膨張性黒鉛６としたが、加熱されて膨張する耐火材であれば、熱膨張性黒鉛に限るものではない。
【００３５】
上記実施形態においては、框体３０が、上下の横の框材３１が、左右の縦の框材３２の上端部または下端部に側方から当接されて接合されている例について説明したが、これに限らず、たとえば、左右の縦の框材３２が、上下の横の框材３１の左右端部に当接されて接合されていても構わない。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３７】
１  建具、２  枠体、２ｇ  開口、３  障子、５  複層ガラス、６  熱膨張性黒鉛、
７  小口キャップ、７ｃ  室内片、７ｅ  嵌合片、３０  框体、
３１  横の框材、３１ａ  小口、３２  縦の框材、３２ａ  小口、３３ａ  内周突片、
３４  対向部、３４ｃ  外周突片
【図１】
0006670516.tif 000002
【図２】
0006670516.tif 000003
【図３】
0006670516.tif 000004
【図４】
0006670516.tif 000005
【図５】
0006670516.tif 000006
【図６】
0006670516.tif 000007
【図７】
0006670516.tif 000008
【図８】
0006670516.tif 000009